(57)【要約】【課題】画像データに対して複数の補正処理を連続して行う画像撮影装置において、複数の補正処理の実行順序に影響されることなく、最適な補正処理を行う。【解決手段】画像データからタグ情報を読み取り（ステップ４０１）、自機による撮影データの場合に（ステップ４０２）、最初に赤目箇所検出処理Ｃ１を実行し（ステップ４０７ａ、ステップ４０８ａ）、さらに電子手ブレ補正処理（ステップ４０３、４０４、４０５）およびトーン補正処理（ステップ４０６）の前後にも赤目箇所検出処理Ｃ２，Ｃ３を実行し（ステップ４０７ｂ、４０８ｂ、４０７ｃ、４０８ｃ）、複数の赤目箇所検出処理Ｃ１，Ｃ２，Ｃ３の検出結果に基づいて赤目箇所を決定して（ステップ４０９）、赤目補正処理を実行することで（ステップ４１０）、複数の補正処理に影響されずに最適な赤目補正処理を実現する。【選択図】図５
2009021720.tif 000002
【特許請求の範囲】
【請求項１】
被写体を撮影する撮像部と、
前記撮像部から出力される画像データおよび／または外部から入力される画像データを記録する画像記録部と、
前記画像記録部から読み出された前記画像データに対して複数の補正処理を連続して行うことが可能な画像補正処理部と、
複数の前記補正処理の実行に先立って、前記画像データから複数の当該補正処理の各々に必要な補正情報を取得し、個々の前記補正処理に最適な前記補正情報を適用する補正制御部と、
を含むことを特徴とする画像撮影装置。
【請求項２】
請求項１記載の画像撮影装置において、
複数の前記補正処理の一つが、赤目補正処理であることを特徴とする画像撮影装置。
【請求項３】
請求項２記載の画像撮影装置において、
前記補正制御部は、前記赤目補正処理を除く複数の前記補正処理の前後の前記画像データに対して赤目検出を行い、前記補正情報としての複数の赤目検出結果から最適な前記赤目検出結果を選択して、前記赤目補正処理を行うことを特徴とする画像撮影装置。
【請求項４】
請求項３記載の画像撮影装置において、
複数の前記補正処理の最後に前記赤目補正処理を行うことを特徴とする画像撮影装置。
【請求項５】
画像データに対して複数の補正処理を連続して行うことが可能な画像補正処理部を備えた画像撮影装置の制御方法であって、
複数の前記補正処理の実行に先立って、前記画像データから複数の当該補正処理の各々に必要な補正情報を得る第１ステップと、
個々の前記補正処理に前記補正情報を適用する第２ステップと、
を含むことを特徴とする画像撮影装置の制御方法。
【請求項６】
請求項５記載の画像撮影装置の制御方法において、
複数の前記補正処理の一つが、赤目補正処理であることを特徴とする画像撮影装置の制御方法。
【請求項７】
請求項６記載の画像撮影装置の制御方法において、
前記第１ステップでは、前記赤目補正処理を除く複数の前記補正処理の前後の前記画像データに対して赤目検出を行って前記補正情報としての複数の赤目検出結果を取得し、
前記第２ステップでは、複数の前記赤目検出結果から最適な前記赤目検出結果を選択して、前記赤目補正処理を行うことを特徴とする画像撮影装置の制御方法。
【請求項８】
請求項７記載の画像撮影装置の制御方法において、
前記第２ステップでは、複数の前記補正処理の最後に前記赤目補正処理を行うことを特徴とする画像撮影装置の制御方法。
【請求項９】
被写体を撮影する撮像部と、
前記撮像部から出力される画像データおよび／または外部から入力される画像データを記録する画像記録部と、
前記画像記録部から読み出された前記画像データに対して複数の補正処理を連続して行うことが可能な画像補正処理部と、
前記画像補正処理部を制御する制御コンピュータと、
を含む画像撮影装置の制御プログラムであって、
前記制御コンピュータに、
複数の前記補正処理の実行に先立って、前記画像データから複数の当該補正処理の各々に必要な補正情報を得る第１ステップと、
個々の前記補正処理に前記補正情報を適用する第２ステップと、
を実行させることを特徴とする画像撮影装置の制御プログラム。
【請求項１０】
請求項９記載の画像撮影装置の制御プログラムにおいて、
複数の前記補正処理の一つが、赤目補正処理であることを特徴とする画像撮影装置の制御プログラム。
【請求項１１】
請求項１０記載の画像撮影装置の制御プログラムにおいて、
前記第１ステップでは、前記赤目補正処理を除く複数の前記補正処理の前後の前記画像データに対して赤目検出を行って前記補正情報としての複数の赤目検出結果を取得し、
前記第２ステップでは、複数の前記赤目検出結果から最適な前記赤目検出結果を選択して、前記赤目補正処理を行う動作を前記制御コンピュータに実行させることを特徴とする画像撮影装置の制御プログラム。
【請求項１２】
請求項１１記載の画像撮影装置の制御プログラムにおいて、
前記第２ステップでは、複数の前記補正処理の最後に前記赤目補正処理を行う動作を前記制御コンピュータに実行させることを特徴とする画像撮影装置の制御プログラム。
【発明の詳細な説明】
【技術分野】
【０００１】
本発明は、画像撮影装置およびその制御技術に関し、たとえば、ディジタルカメラ等の画像撮影装置に適用して有効な技術に関する。
【背景技術】
【０００２】
たとえば、ディジタルカメラ等の画像撮影装置においては、撮影された画像の画質の向上のために、手ブレ補正、トーン補正、赤目補正等の様々な補正処理が行われている。
特許文献１には、入力画像の種別に応じて、赤目検出および赤目修正の各段階で用いられるパラメータを変更し、赤目検出および赤目修正を統一して行うことで処理効率を高めようとする技術が開示されている。
【特許文献１】特開２００３−２８３８４９号公報
【発明の開示】
【発明が解決しようとする課題】
【０００３】
ところが、上述の特許文献１では、手ブレ補正、トーン補正、赤目補正等の複数の補正処理を連続して行う場合における以下のような技術的課題が認識されていない。
すなわち、複数の補正処理を連続して行う場合、パラメータを得るための補正前の画像解析処理をどの時点で行うかによって、補正結果が変わるために、上述の特許文献１のように最初の入力画像の種別に応じてパラメータを決定する方法では、最適な補正が困難になる場合がある。
【０００４】
たとえば、手ブレ補正、トーン補正、赤目補正の順に連続して補正を行う場合には、手ブレ補正とトーン補正が終わった画像に対して赤目検出を行うと、これらの処理による画像データの変化によって赤目が検出できなくなる場合がある。これに対し、何も補正をしていない元画像に対して赤目検出を行うと赤目が検出できることがある。
【０００５】
また、逆に、何も補正をしていない画像に対して赤目検出を行うと赤目が検出できず、手ブレ補正を行った画像に対して赤目検出を行うと赤目検出ができる場合がある。
本発明の目的は、画像データに対して複数の補正処理を連続して行う画像撮影装置において、複数の補正処理の実行順序に影響されることなく、最適な補正処理を行うことが可能な技術を提供することにある。
【課題を解決するための手段】
【０００６】
本発明の第１の観点は、被写体を撮影する撮像部と、
前記撮像部から出力される画像データおよび／または外部から入力される画像データを記録する画像記録部と、
前記画像記録部から読み出された前記画像データに対して複数の補正処理を連続して行うことが可能な画像補正処理部と、
複数の前記補正処理の実行に先立って、前記画像データから複数の当該補正処理の各々に必要な補正情報を取得し、個々の前記補正処理に最適な前記補正情報を適用する補正制御部と、
を含む画像撮影装置を提供する。
【０００７】
本発明の第２の観点は、第１の観点に記載の画像撮影装置において、
複数の前記補正処理の一つが、赤目補正処理である画像撮影装置を提供する。
本発明の第３の観点は、第２の観点に記載の画像撮影装置において、
前記補正制御部は、前記赤目補正処理を除く複数の前記補正処理の前後の前記画像データに対して赤目検出を行い、前記補正情報としての複数の赤目検出結果から最適な前記赤目検出結果を選択して、前記赤目補正処理を行う画像撮影装置を提供する。
【０００８】
本発明の第４の観点は、第３の観点に記載の画像撮影装置において、
複数の前記補正処理の最後に前記赤目補正処理を行う画像撮影装置を提供する。
本発明の第５の観点は、画像データに対して複数の補正処理を連続して行うことが可能な画像補正処理部を備えた画像撮影装置の制御方法であって、
複数の前記補正処理の実行に先立って、前記画像データから複数の当該補正処理の各々に必要な補正情報を得る第１ステップと、
個々の前記補正処理に前記補正情報を適用する第２ステップと、
を含む画像撮影装置の制御方法を提供する。
【０００９】
本発明の第６の観点は、第５の観点に記載の画像撮影装置の制御方法において、
複数の前記補正処理の一つが、赤目補正処理である画像撮影装置の制御方法を提供する。
【００１０】
本発明の第７の観点は、第６の観点に記載の画像撮影装置の制御方法において、
前記第１ステップでは、前記赤目補正処理を除く複数の前記補正処理の前後の前記画像データに対して赤目検出を行って前記補正情報としての複数の赤目検出結果を取得し、
前記第２ステップでは、複数の前記赤目検出結果から最適な前記赤目検出結果を選択して、前記赤目補正処理を行う画像撮影装置の制御方法を提供する。
【００１１】
本発明の第８の観点は、第７の観点に記載の画像撮影装置の制御方法において、
前記第２ステップでは、複数の前記補正処理の最後に前記赤目補正処理を行う画像撮影装置の制御方法を提供する。
【００１２】
本発明の第９の観点は、被写体を撮影する撮像部と、
前記撮像部から出力される画像データおよび／または外部から入力される画像データを記録する画像記録部と、
前記画像記録部から読み出された前記画像データに対して複数の補正処理を連続して行うことが可能な画像補正処理部と、
前記画像補正処理部を制御する制御コンピュータと、
を含む画像撮影装置の制御プログラムであって、
前記制御コンピュータに、
複数の前記補正処理の実行に先立って、前記画像データから複数の当該補正処理の各々に必要な補正情報を得る第１ステップと、
個々の前記補正処理に前記補正情報を適用する第２ステップと、
を実行させる画像撮影装置の制御プログラムを提供する。
【００１３】
本発明の第１０の観点は、第９の観点に記載の画像撮影装置の制御プログラムにおいて、
複数の前記補正処理の一つが、赤目補正処理である画像撮影装置の制御プログラムを提供する。
【００１４】
本発明の第１１の観点は、第１０の観点に記載の画像撮影装置の制御プログラムにおいて、
前記第１ステップでは、前記赤目補正処理を除く複数の前記補正処理の前後の前記画像データに対して赤目検出を行って前記補正情報としての複数の赤目検出結果を取得し、
前記第２ステップでは、複数の前記赤目検出結果から最適な前記赤目検出結果を選択して、前記赤目補正処理を行う動作を前記制御コンピュータに実行させる画像撮影装置の制御プログラムを提供する。
【００１５】
本発明の第１２の観点は、第１１の観点に記載の画像撮影装置の制御プログラムにおいて、
前記第２ステップでは、複数の前記補正処理の最後に前記赤目補正処理を行う動作を前記制御コンピュータに実行させる画像撮影装置の制御プログラムを提供する。
【発明の効果】
【００１６】
本発明によれば、画像データに対して複数の補正処理を連続して行う画像撮影装置において、複数の補正処理の実行順序に影響されることなく、最適な補正処理を行うことが可能な技術を提供することができる。
【発明を実施するための最良の形態】
【００１７】
以下、図面を参照しながら、本発明の実施の形態について詳細に説明する。
図１は、本発明の一実施の形態である画像撮影装置の制御方法を実施する画像撮影装置の構成の一例を示すブロック図であり、図２は、本実施の形態の画像撮影装置を背面側から見た平面図である。
【００１８】
図１に例示されるように、本実施の形態の画像撮影装置１０には、レンズ部１２、ＮＤ（ニュートラルデンシティ）フィルター１２ａ、シャッター１２ｂ、撮像素子１３、アナログフロントエンド部１４（以下、ＡＦＥ部１４と記す）、画像処理部１５、表示制御部１８ａによって画像表示を行う表示部１８及び、記録再生制御部１９ａと記録メディア１９が設けられている。
【００１９】
レンズ部１２は、入射した被写体９０の像を撮像素子１３に結像する光学系である。シャッター１２ｂは、レンズ部１２を通過した光が撮像素子１３へ入射するのを選択的に遮り、露出量を調整する。
【００２０】
撮像素子１３は、たとえば、ＣＭＯＳイメージセンサやＣＣＤイメージセンサからなり、結像された被写体像を画像信号に変換する。ＡＦＥ部１４は、撮像素子１３から出力されるアナログの電気信号をデジタルの画像データ（後述の主画像１０２を生成する基となるデータ）に変換して出力する。
【００２１】
画像処理部１５は、ＡＦＥ部１４から出力された画像データについて、ガンマ（階調）や色やシャープネス、手ブレ、赤目等を補正処理する。また、画像処理部１５は、画像処理部内のＪＰＥＧ（Joint Photographic Coding Experts Group）コア部（図示せず）などの静止画像用の圧縮伸長部を有し、撮影時にはこの圧縮伸長部で画像データを圧縮する。
【００２２】
記録再生制御部１９ａは、撮影時には画像処理部１５により圧縮処理された画像データを記録媒体である記録メディア１９に記録する。記録メディア１９は、画像を保存記録する記録媒体である。また、記録再生制御部１９ａは再生時には記録メディア１９から画像データを読み出す。
【００２３】
画像撮影装置１０には表示制御部１８ａ及び表示部１８が設けられている。表示部１８は、例えば液晶ディスプレイや有機ＥＬディスプレイ等の後述のカラーパネルディスプレイ２０を構成し、撮影時には、レンズ部１２、撮像素子１３等を経由して撮影（入力）される画像を表示し、再生時には伸張処理された記録画像を表示する。
【００２４】
前述のように、撮影時には、ユーザは表示部１８（カラーパネルディスプレイ２０）に表示された画像を見ながら、構図やタイミングを決めて撮影操作を行う。撮像素子１３からの画像信号をほぼリアルタイムで表示できるように、ＡＦＥ１４によって、表示サイズに制限された画像データを、画像処理部１５で高速に処理して、表示制御部１８ａを介して表示部１８に表示される。
【００２５】
再生時には、記録メディア１９に記録された圧縮データが記録再生制御部１９ａにより読み出され、画像処理部１５によって再生され、表示部１８に表示される。
また、画像撮影装置１０には、ＭＰＵ１１、ＲＯＭ１７、操作スイッチ群１１ａが設けられる。ＭＰＵ（マイクロプロセッサ）１１は、プログラムに従って撮影や再生等における画像撮影装置１０の全体の制御を司る制御部である。
【００２６】
ＲＯＭ１７は、不揮発性でかつ記録可能なメモリで例えばフラッシュメモリ（一括消去型ＥＥＰＲＯＭ）からなり、画像撮影装置１０の制御処理を行う制御プログラム５００等が格納される。
【００２７】
本実施の形態の場合には、この制御プログラム５００は、ＭＰＵ１１によって実行されることにより、たとえば、後述の電子手ブレ補正処理Ａ、トーン補正処理Ｂ、赤目箇所検出処理Ｃ１，Ｃ２，Ｃ３、赤目補正処理Ｄ等の補正処理等の複数の補正処理を、一括して画像処理部１５や表示制御部１８ａ等に実行させる機能を備えている。
【００２８】
操作スイッチ群１１ａは、撮影者の指示をＭＰＵ１１に通知する。具体的には、後述する図２の外観背面図のレリーズボタン２１、ズームボタン２２、モード設定ダイアル２３、十字キースイッチ２４、ＭＥＮＵキースイッチ２９、ＯＫボタン３０等のダイアルやボタン操作に応じてオン、オフするスイッチである。
【００２９】
また、画像撮影装置１０には、ＡＦ（オートフォーカス）制御部１２ｃ、シャッター制御部１２ｅ、ＮＤフィルター制御部１２ｄ、ストロボ部１６、が設けられる。
ＡＦ制御部１２ｃは、レンズ部１２のピント位置を制御する。ピント位置の制御は、画像処理部１５が撮像素子１３から出力される画像データのコントラストを検出してＭＰＵ１１に出力し、これに従ってＭＰＵ１１がＡＦ制御部１２ｃに制御信号を出力することにより実行される。ＭＰＵ１１は画像データのコントラスト信号が最大になるようにＡＦ制御部１２ｃに制御信号を出力する。
【００３０】
露出制御時には、シャッター１２ｂの開放時間の切り替え以外にも、レンズ部１２と撮像素子１３の間へＮＤフィルター１２ａを介在させて制御する場合もある。
前述のように、シャッター制御部１２ｅはシャッター１２ｂの開閉を制御する。シャッター制御部１２ｅは、明るいときには短い時間でシャッター１２ｂを閉じ、暗いところでは、長い時間でシャッター１２ｂを閉じるような制御をして、撮像素子１３への入射光量を所定量に保つ露出制御を行う。
【００３１】
ストロボ部１６は、露出を補助する補助照明光１６ａの照射手段である。被写体９０が相対的、または絶対的に暗い場合には、補助照明光１６ａを被写体９０に投射するストロボ部１６が補助光源として利用される。このストロボ部１６としては、たとえば白色ＬＥＤやＸｅ放電発光管のような光源を用いることができ、供給電力を制御して出射される補助照明光１６ａの光量が制御できるようになっている。
【００３２】
なお、図１では、説明の便宜上、画像処理部１５、表示制御部１８ａ、記録再生制御部１９ａ等をＭＰＵ１１と分けて図示しているが、ＭＰＵ１１にて実行される制御プログラム５００にて、画像処理部１５、表示制御部１８ａ、記録再生制御部１９ａの機能をまとめて実現するようにしてもよい。
【００３３】
図２に例示されるように、本実施の形態の画像撮影装置１０の背面には、カラーパネルディスプレイ２０、さらには操作スイッチ群１１ａに対応した各種の操作ボタンやキーが配置されている。
【００３４】
カラーパネルディスプレイ２０は、ＴＦＴカラー液晶パネル等で構成され図１の表示部１８に対応している。
レリーズボタン２１は、シャッター制御部１２ｅを介してシャッター１２ｂを作動させる。
【００３５】
ズームボタン２２は、撮影時の画角を光学的又は電子的に調整する。
回転式のモード設定ダイアル２３は、画像撮影装置１０の操作内容を簡素化した「かんたんモード」、全ての操作を個別に行うことが可能な「通常モード」、さらには、静止画撮影モード、再生モード、手ブレ軽減撮影モード、動画撮影モード、などを選択可能にする。
【００３６】
十字タイプの十字キースイッチ２４は、十字形の各端部に設けられた三角マーク２４ａを押下することで、露出補正の設定、フラッシュの設定、セルフ撮影モードの設定、マクロ撮影モードの設定ができる。また、メニュー設定画面表示時に、カーソルの移動や、メニュー階層の切り換えに使用される。
【００３７】
十字キースイッチ２４の個々の三角マーク２４ａに対応する位置には、指標２５、指標２６、指標２７、および指標２８が設けられている。
指標２５は、露出補正設定ポジションを示す。この指標２５の方向にある十字キースイッチ２４の三角マーク２４ａを押圧すると露出補正が可能となる。
【００３８】
指標２６は、フラッシュ設定ポジションを示す。この指標２６の方向にある十字キースイッチ２４の三角マーク２４ａを押圧するとフラッシュ発光モードを変更することが可能となる。
【００３９】
指標２７は、セルフ撮影モードの設定ポジションを示す。この指標２７の方向にある十字キースイッチ２４の三角マーク２４ａを押圧するとセルフ撮影モードに変更することが可能となる。
【００４０】
指標２８は、マクロ撮影モードの設定ポジションを示す。この指標２８の方向にある十字キースイッチ２４の三角マーク２４ａを押圧するとマクロ撮影モードに変更することが可能となる。
【００４１】
ＭＥＮＵキースイッチ２９は、押圧されるとカラーパネルディスプレイ２０に図示しない補正メニューのメニュー設定画面が表示される。
ＯＫボタン３０は、メニュー設定画面表示時に、メニュー項目や画面に表示された表示ウィザードの表示内容を決定する場合の確定キーや、ファンクション設定モードに遷移するための遷移キーとして使用される。
【００４２】
図３は、本実施の形態の画像撮影装置１０において取り扱われる画像データ１００の構成の一例を示す概念図である。
本実施の形態における画像データ１００は、タグ情報１０１、主画像１０２、副画像１０３を含んでいる。
【００４３】
主画像１０２は、画像撮影装置１０や他の画像撮影装置で撮影された画像データ本体を示している。
タグ情報１０１は、主画像１０２に関する撮影条件の等の情報が格納されている。本実施の形態の場合には、タグ情報１０１には、手ブレ情報１０１ａ、ストロボ使用情報１０１ｂ、オートフォーカス位置情報１０１ｃ、ズーム位置情報１０１ｄ、シャッタスピード１０１ｅ、機種情報１０１ｆ、および補正履歴情報１０１ｇ等の情報が格納される。
【００４４】
手ブレ情報１０１ａは、主画像１０２の撮影時に検出された手ブレの、手ブレ量、手ブレ方向、時間、等の情報である。
ストロボ使用情報１０１ｂは、主画像１０２の撮影時におけるストロボ部１６の使用の有無を示す情報である。
【００４５】
オートフォーカス位置情報１０１ｃは、主画像１０２の撮影時における当該主画像１０２内のオートフォーカス位置を示す情報である。
ズーム位置情報１０１ｄは、主画像１０２の撮影時におけるズーム位置を示す情報である。
【００４６】
シャッタスピード１０１ｅは、主画像１０２の撮影時におけるシャッター１２ｂのシャッタスピードである。
機種情報１０１ｆは、主画像１０２を撮影した機種を示す情報である。この情報により、主画像１０２が、本実施の形態の画像撮影装置１０によって撮影された画像か否かを判別できる。
【００４７】
補正履歴情報１０１ｇは、主画像１０２に対する後述のような一連の補正処理の履歴を保持する。
本実施の形態の場合、制御プログラム５００は、タグ情報１０１の上述の情報を参照することにより、電子手ブレ補正処理Ａ、トーン補正処理Ｂ、赤目箇所検出処理Ｃ１〜Ｃ３、赤目補正処理Ｄの各々の補正処理の実行の可否、補正量、等を自動的に決定し、画像処理部１５を制御して電子手ブレ補正処理Ａ、トーン補正処理Ｂ、赤目箇所検出処理Ｃ１〜Ｃ３、赤目補正処理Ｄを組み合わせた補正処理を主画像１０２に対して実行する。
【００４８】
副画像１０３は、主画像１０２をサムネイル表示するための画像データである。
以下、本実施の形態の画像撮影装置１０の作用の一例について説明する。
図４および図５は、本実施の形態の画像撮影装置１０の作用の一例を示すフローチャートである。
【００４９】
まず、画像撮影装置１０に電源が投入されると、制御プログラム５００による図４および図５のフローチャートに例示される処理が開始される。
そして、ユーザがモード設定ダイアル２３を操作してモードを選択すると（ステップ３０１）、再生モードか否かを判別し（ステップ３０２）、再生モードの場合には、カラーパネルディスプレイ２０を起動するとともに（ステップ３０３）、記録再生制御部１９ａを介して記録メディア１９から画像データ１００をＲＯＭ１７の一部の記憶領域に読み出し（ステップ３０４）、主画像１０２に対して必要に応じて伸張処理を行った後（ステップ３０５）、カラーパネルディスプレイ２０に主画像１０２を表示する（ステップ３０６）。
【００５０】
この表示状態でユーザからの操作入力を待ち（ステップ３０７）、操作入力が検出されたら、再生モードが他のモードに変更されたかどうかを判別する（ステップ３０８）。
再生モードが変更されていない場合には、現在のモードが、かんたんモードか通常モードかを判別する（ステップ３０９）。
【００５１】
そして、かんたんモードが選択されている場合には、カラーディスプレイパネル２０に表示されている主画像１０２に重ねて一発補正ウィザードを表示し、ＯＫボタン３０が押下されたか否かを判別し（ステップ３１７）、押下された場合には、後述の図５に例示される一発補正処理４００を実行し（ステップ３１７ａ）、補正結果の画像を、カラーパネルディスプレイ２０に表示し、上述のステップ３０７に戻る。
【００５２】
上述のステップ３０９で、通常再生モードと判定された場合には、制御プログラム５００は、ユーザによるＭＥＮＵキースイッチ２９の操作を判別し（ステップ３１０）、補正メニューが選択された場合には、補正メニューをカラーパネルディスプレイ２０に表示して（ステップ３１１）、ユーザによるメニュー選択内容を検出する（ステップ３１２）。
【００５３】
ステップ３１０でＭＥＮＵキースイッチ２９以外のキーが選択された場合には、対応する他の処理に移行する（ステップ３２２）。
そして、制御プログラム５００は、補正メニューにおいて一括補正指定が選択されたか否かを判別し（ステップ３１３）、一括補正指定が選択されている場合には、後述の図５に例示される一発補正処理４００を実行し（ステップ３１３ａ）、補正後の画像をカラーパネルディスプレイ２０に出力して（ステップ３１４）、上述のステップ３０７に戻る。
【００５４】
上述のステップ３１３で、一括補正指定以外の後述の電子手ブレ補正メニュー、自動明るさ補正メニュー、赤目補正メニューが選択されている、と制御プログラム５００が判断した場合には、電子手ブレ補正メニュー、自動明るさ補正メニュー、赤目補正メニューの各々に対応した、電子手ブレ補正処理Ａ、トーン補正処理Ｂ、赤目箇所検出処理Ｃ１〜Ｃ３および赤目補正処理Ｄ、を個別に画像処理部１５に実行させる処理に移行する（ステップ３２３）。
【００５５】
なお、上述のステップ３０２で再生モード以外のモードが選択されていると制御プログラム５００が判断した場合には、選択された他のモードを実行する（ステップ３２１）。
また、上述のステップ３０７で、所定のタイマ値を超過しても操作入力が検出されない場合には（ステップ３１５）、カラーパネルディスプレイ２０の表示を停止したり、内部のＭＰＵ１１等の処理系を低消費電力状態に移行させるスリープ状態に移行する（ステップ３１６）。
【００５６】
次に、図５のフローチャートを参照して上述の一発補正処理４００の一例を説明する。
すなわち、一発補正処理４００では、制御プログラム５００は、ＲＯＭ１７上に展開されている画像データ１００のタグ情報１０１を読み取り（ステップ４０１）、機種情報１０１ｆに基づいて、当該画像データ１００が当該画像撮影装置１０にて撮影されたものか否かを判別し（ステップ４０２）、他機種で撮影されたデータの場合には処理を中止する。
【００５７】
一方、画像データ１００が当該画像撮影装置１０にて撮影されたデータである場合には、タグ情報１０１のストロボ使用情報１０１ｂを参照して、撮影時にストロボ部１６が使用された画像か否かを判別し（ステップ４０７ａ）、ストロボ部１６が使用されていた場合には、画像処理部１５に指示して、画像データ１００に対して赤目箇所（補正情報）を検出する赤目箇所検出処理Ｃ１を実行させる（ステップ４０８ａ）。
【００５８】
さらに、タグ情報１０１の手ブレ情報１０１ａ（補正情報）に基づいて、当該画像データ１００が撮影時に手ブレが検出された画像か否かを判別し（ステップ４０３）、撮影時に手ブレが検出されている場合には、オートフォーカス位置情報１０１ｃ、ズーム位置情報１０１ｄ、シャッタスピード１０１ｅ等の情報に基づいて、手ブレ補正処理が可能な手ブレの種類および範囲かを判別し（ステップ４０４）、補正可能と判断された場合には、制御プログラム５００は、画像処理部１５に指示して画像データ１００に対して電子手ブレ補正処理Ａを実行させる（ステップ４０５）。
【００５９】
また、上述のステップ４０３において、撮影時に手ブレが検出されなかったと判断された場合、およびステップ４０４において手ブレ補正不能と判断された場合には、ステップ４０５は実行されない。
【００６０】
次に、制御プログラム５００は、ストロボ部１６が使用されていた場合には（ステップ４０７ｂ）、赤目箇所を検出する赤目箇所検出処理Ｃ２を実行させた後（ステップ４０８ｂ）、画像処理部１５に指示して、画像データに対してトーン補正処理Ｂを実行させる（ステップ４０６）。
【００６１】
そして、ストロボ部１６が使用されていた場合は（ステップ４０７ｃ）、赤目箇所を検出する赤目箇所検出処理Ｃ３を実行させる（ステップ４０８ｃ）。
次に、上述の３回の赤目箇所検出処理Ｃ１，Ｃ２，Ｃ３の検出結果より、赤目箇所の最適化処理を行い、最終的に赤目補正を実行すべき赤目箇所を決定する（ステップ４０９）。
【００６２】
そして、画像処理部１５に対して赤目補正処理Ｄを実行させる（ステップ４１０）。
上述のステップ４０７ａにおいて画像データ１００の撮影時にストロボ部１６が使用されなかったと判断された場合には、赤目箇所検出処理Ｃ１および赤目補正処理Ｄは実行されず、ステップ４０９で赤目ノイズが検出されなかった場合には、赤目補正処理Ｄは実行されない。
【００６３】
こうして、制御プログラム５００は、タグ情報１０１の情報に基づいて、必要な一つまたは複数の補正処理を画像データ１００に対して連続的に施した後、ＪＰＥＧ等の規格に則って画像データ１００を圧縮するように画像処理部１５に指示し（ステップ４１１）、記録再生制御部１９ａを介して、記録メディア１９に保存する（ステップ４１２）。この時、画像補正前のタグ情報１０１の情報がそのまま継承されるとともに、実際に実行された電子手ブレ補正処理Ａ、トーン補正処理Ｂ、赤目補正処理Ｄの補正結果に関する情報が、補正履歴情報１０１ｇとして、タグ情報１０１の一部に記録される。
【００６４】
本実施の形態によれば、画像データ１００に対して、電子手ブレ補正処理Ａ、トーン補正処理Ｂ、赤目補正処理Ｄ等の複数の補正処理を連続して行う画像撮影装置１０において、これらの補正処理前の元の画像データ１００に対して赤目箇所検出処理Ｃ１を行うので、電子手ブレ補正処理Ａ、トーン補正処理Ｂ、の処理の影響を受けることなく、赤目補正処理Ｄを行うことができる。
【００６５】
さらに、上述の赤目箇所検出処理Ｃ１に加えて、電子手ブレ補正処理Ａ、トーン補正処理Ｂの前後の画像データ１００に対しても赤目箇所検出処理Ｃ２、赤目箇所検出処理Ｃ３を実行し、これらの赤目箇所検出処理Ｃ１，Ｃ２，Ｃ３の検出結果より、検出された赤目箇所の最適化処理を行い、最終的に赤目補正を施す赤目箇所を決定して赤目補正処理Ｄを実行することにより、複数の補正処理の実行順序に影響されることなく、最適な赤目補正処理Ｄ等の補正処理を行うことが可能となる。
【００６６】
なお、本発明は、上述の実施の形態に例示した構成に限らず、その趣旨を逸脱しない範囲で種々変更可能であることは言うまでもない。
たとえば、上述の赤目箇所検出処理Ｃ１〜Ｃ３においては、赤目の誤検出を防止するために、画像データ１００に対して人物の顔の領域を判別する顔検出処理を併用してもよい。
【００６７】
また、上述の実施の形態では、記録メディア１９から読み出した画像データをＲＯＭ１７の一部の記憶領域に記憶したが、これに限らず、画像処理部１５、記録再生制御部１９ａ、フラッシュメモリ（ＲＯＭ）１７と画像データバスによって接続されたＳＤＲＡＭ（Synchronous Dram）に読み出すようにしても構わない。
【図面の簡単な説明】
【００６８】
【図１】本発明の一実施の形態である画像撮影装置の制御方法を実施する画像撮影装置の構成の一例を示すブロック図である。
【図２】本発明の一実施の形態である画像撮影装置を背面側から見た平面図である。
【図３】本発明の一実施の形態である画像撮影装置において取り扱われる画像データの構成の一例を示す概念図である。
【図４】本発明の一実施の形態である画像撮影装置の作用の一例を示すフローチャートである。
【図５】本発明の一実施の形態である画像撮影装置の作用の一例を示すフローチャートである。
【符号の説明】
【００６９】
１０…画像撮影装置
１１…ＭＰＵ（補正制御部：制御コンピュータ）
１１ａ…操作スイッチ群
１２…レンズ部
１２ａ…ＮＤフィルター
１２ｂ…シャッター
１２ｃ…ＡＦ制御部
１２ｄ…ＮＤフィルター制御部
１２ｅ…シャッター制御部
１３…撮像素子（撮像部）
１４…アナログフロントエンド部
１５…画像処理部（画像補正処理部）
１６…ストロボ部
１７…ＲＯＭ
１８…表示部
１８ａ…表示制御部
１９…記録メディア
１９ａ…記録再生制御部（画像記録部）
２０…カラーパネルディスプレイ
２０ａ…左分割領域
２０ｂ…右分割領域
２０ｃ…中央線
２１…レリーズボタン
２２…ズームボタン
２３…モード設定ダイアル
２４…十字キースイッチ
２４ａ…三角マーク
２５〜２８…指標
２９…ＭＥＮＵキースイッチ
３０…ＯＫボタン
９０…被写体
１００…画像データ
１０１…タグ情報
１０１ａ…手ブレ情報
１０１ｂ…ストロボ使用情報
１０１ｃ…オートフォーカス位置情報
１０１ｄ…ズーム位置情報
１０１ｅ…シャッタスピード
１０１ｆ…機種情報
１０１ｇ…補正履歴情報
１０２…主画像
１０３…副画像
４００…一発補正処理
５００…制御プログラム
Ａ…電子手ブレ補正処理
Ｂ…トーン補正処理
Ｃ１〜Ｃ３  赤目検出処理
Ｄ…赤目補正処理
【図１】
2009021720.tif 000003
【図３】
2009021720.tif 000004
【図４】
2009021720.tif 000005
【図５】
2009021720.tif 000006
【図２】
2009021720.tif 000007